(57)【要約】本発明は、光ファイバーのアクセス網及びその通信保護方法であって、光ファイバーのアクセス網は、光ファイバー通信システム、無線通信システム、通信サービス切り替え装置（８）、第２光ネットワークユニット（６）と保護光ファイバー（９１,９２）を含む。本発明は、保護光ファイバー（９１,９２）を利用して、光ファイバー通信システム中の光回線端末（１）と光分波器（２）間の光ファイバー回線を保護するとともに、無線通信システムを導入して、光ファイバー通信システム中の光分波器（２）と光ネットワークユニット（３）間の光ファイバーを保護する。光ファイバー通信システムの光回線端末（１）と光ネットワークユニット（３）間の光ファイバーに切断による障害が生じた時、保護光ファイバー又は無線通信システムをそれぞれ利用して通信サービスを保護する。本発明は、導管、光ケーブル等の資源の制限を克服する。本発明を用いることにより、光ファイバー通信システムの通信サービスを有効に保障でき、且つ通信システムの帯域幅の利用率を高めることができる。【選択図】図１
2009508373.tif 000002
【特許請求の範囲】
【請求項１】
光ファイバー通信システムを含む光ファイバーのアクセス網であって、
前記光ファイバー通信システムに、光回線端末（１）、光分波器（２）、第１光ネットワークユニット（３）及びユーザー端末インテグレーテッド・アクセス・デバイス（４）が設置され、
光回線端末（１）と光分波器（２）の間に、作動光ファイバー（９１）の回線を保護するための保護光ファイバー（９２）が設置され、
前記光ファイバーのアクセス網が更に、
無線基地局（５）を含み、該無線基地局（５）が第２光ネットワークユニット（６）を通じて前記光分波器（２）に接続され、
前記無線基地局（５）が無線ユーザー端末装置（７）と無線で通信し、
前記無線ユーザー端末装置（７）及び前記第１光ネットワークユニット（３）が通信回線を切り替えるための通信サービス切り替え装置（８）にそれぞれ接続され、該通信サービス切り替え装置（８）が前記ユーザー端末インテグレーテッド・アクセス・デバイス（４）に接続され、
前記無線ユーザー端末装置（７）が、更に前記第１光ネットワークユニット（３）と通信し、
前記第１光ネットワークユニット（３）の中に、信号を検出するための第２検出モジュール（３１）及び前記通信サービス切り替え装置（８）に切り替え制御信号を送信するための制御モジュール（３２）が設置されていることを特徴とする光ファイバーのアクセス網。
【請求項２】
前記通信サービス切り替え装置（８）が、前記第１光ネットワークユニット（３）と一体に設置されることを特徴とする請求項１に記載の光ファイバーのアクセス網。
【請求項３】
前記第２検出モジュール（３１）が前記制御モジュール（３２）に接続されることを特徴とする請求項１に記載の光ファイバーのアクセス網。
【請求項４】
前記第１光ネットワークユニット（３）の中に、前記第２検出モジュール（３１）が信号を検出しない時に信号が失われたという警告情報を発生させるための警告モジュール（３３）が設置され、
前記警告モジュール（３３）が、前記第１光ネットワークユニット（３）の内部のサービス・インタフェース機能モジュール（３４）に接続されることを特徴とする請求項１、乃至３の何れかに記載の光ファイバーのアクセス網。
【請求項５】
前記警告モジュール（３３）が、前記検出モジュール（３１）と一体に設置されることを特徴とする請求項４に記載の光ファイバーのアクセス網。
【請求項６】
前記検出モジュールが、振幅、パワー及び/又はエネルギーを検出する検出装置であることを特徴とする請求項５に記載の光ファイバーのアクセス網。
【請求項７】
前記光回線端末（１）の中に、作動光ファイバー（９１）と保護光ファイバー（９２）の信号を検出するための第１検出モジュール（１１）及び前記光回線端末（１）のインテグレーテッドサービス管理を行うためのネットワーク・マネージメント・システム（１２）が設置され、
前記第１検出モジュール（１１）が、前記ネットワーク・マネージメント・システム（１２）に接続されることを特徴とする請求項１に記載の光ファイバーのアクセス網。
【請求項８】
前記請求項１乃至７の何れかに記載の光ファイバーのアクセス網に基づく通信保護方法であって、
第２検出モジュール（３１）が、信号の振幅、パワー及び/又はエネルギーが事前設定のしきい値のパワーより小さいことを検出した時に、制御モジュール（３２）に信号が失われたという情報を送信する工程（１）と、
前記制御モジュール（３２）が、通信サービス切り替え装置（８）に切り替え制御信号を送信する工程（２）と、
前記通信サービス切り替え装置（８）が、通信サービスのアップ信号を前記無線ユーザー端末装置（７）に切り替えるために、前記切り替え制御信号に従って、第１光ネットワークユニット（３）に接続された通信回線を前記無線ユーザー端末装置（７）に切り替える工程（３）と、
前記無線ユーザー端末装置（７）が、アップ信号を無線基地局（５）に送信する工程（４）と、
前記無線基地局（５）が、アップ信号を光回線端末（１）に送信する工程（５）と、
前記光回線端末（１）が、光ネットワークユニット（６）によりダウン信号を前記無線基地局（５）に送信する工程（６）と、
前記無線基地局（５）が、ダウン信号を前記無線ユーザー端末装置（７）に送信して、通信サービス回線の切り替えを完成する工程（７）を備え、前記通信サービス切り替え装置が、光ファイバー通信システムから無線通信システムに通信サービスを切り替えることを特徴とする光ファイバーのアクセス網の通信保護方法。
【請求項９】
前記工程（１）と工程（２）の間に更に、
前記第２検出モジュール（３１）が、信号失われたという情報を警告モジュール（３３）に送信する工程（１１）と、
前記警告モジュール（３３）が、信号が失われたという警告情報を前記無線ユーザー端末装置（７）に送信する工程（１２）と、
前記無線ユーザー端末装置（７）が、無線基地局（５）に帯域幅の割り当てを要求する情報を送信する工程（１３）と、
前記無線基地局（５）が、前記無線ユーザー端末装置（７）に対応する帯域幅を割り当てるとともに、帯域幅の割り当てが終了したという確認情報を送信する工程（１４）と、
前記無線ユーザー端末装置（７）が、通信サービスを無線通信システムに切り替える要求情報を前記制御モジュール（３２）に送信する工程（１５）を備えることを特徴とする請求項８に記載の光ファイバーのアクセス網の通信保護方法。 
【請求項１０】
前記工程（７）の後、
前記第２検出モジュール（３１）が、信号の振幅、パワー及び/又はエネルギーが事前設定のしきい値のパワーより大きいことを検出した時に、前記制御モジュール（３２）に信号受信の情報を送信する工程（７１）と、
前記制御モジュール（３２）が、前記通信サービス切り替え装置（８）に切り替え制御信号を送信する工程（７２）と、
前記通信サービス切り替え装置（８）が、通信サービスのアップ信号を前記第１光ネットワークユニット（３）に切り替えるために、前記切り替え制御信号に従って、無線ユーザー端末装置（７）に接続された通信回線を第１光ネットワークユニット（３）に切り替える工程（７３）と、
前記第１光ネットワークユニット（３）が、通信サービスのアップ信号を前記光回線端末（１）に送信して、通信サービス回線の切り替えを完成する工程（７４）を備え、前記通信サービス切り替え装置が、前記無線通信システムから前記光ファイバー通信システムに通信サービスを切り替えることを特徴とする請求項８に記載の光ファイバーのアクセス網の通信保護方法。
【請求項１１】
前記工程（７１）と工程（７２）の間に更に、
第２検出モジュール（３１）が、警告モジュール（３３）にダウン信号受信の情報を送信する工程（７１１）と、
前記警告モジュール（３３）が、無線ユーザー端末装置（７）に信号が失われたという警告を解除する情報を送信する工程（７１２）と、
前記無線ユーザー端末装置（７）が、帯域幅を解除する要求情報を前記無線基地局（５）に送信する工程（７１３）と、
前記無線基地局（５）が、対応する帯域幅を解除するとともに、前記無線ユーザー端末装置（７）に帯域幅解除の確認情報を送信する工程（７１４）と、
前記無線ユーザー端末装置（７）が、通信サービスを光ファイバー通信システムに切り替える要求情報を前記制御モジュール（３２）に送信する工程（７１５）を備えることを特徴とする請求項１０に記載の光ファイバーのアクセス網の通信保護方法。
【発明の詳細な説明】
【技術分野】
【０００１】
本発明は、光ファイバーのアクセス網及びその通信保護方法に関する。特に通信保護機能を備え、光ファイバーに切断による障害が生じた時に無線通信による保護を提供する光ファイバーのアクセス網、及び光ファイバーに切断による障害が生じた時に通信サービスに影響を及ぼさない通信保護方法に関する。
【背景技術】
【０００２】
光ファイバーのアクセス網を使用することは、光ファイバー通信の発展によって必然的な傾向となっている。光ファイバーのアクセス網のトポロジ構造は通常５種類あって、それらはモノ星状、マルチ星状、ツリー（tree）状、バス状及び環状である。前から４種類は星状構造と総称することができる。環状ネットワーク及びP2Pシステムと比べて、星状網は、大量の光ファイバーと光トランシーバ（transceiver）・モジュールの使用を節約でき、且つそのブランチ構造はサービスエリアを確保しやすい。したがって、光ファイバーのアクセス網として一般的に星状構造が使用される。
【０００３】
通信サービスの正常な運営を保障するためには、光ファイバーのアクセス網において光回線を保護する必要がある。従来技術において、光回線端末と光ネットワークユニット間の光ファイバー回線の保護方式は、主に以下の種類がある。
１.  １つの光ケーブルに異なる光ファイバーを用いる方式により保護する。即ち、１つの光ケーブルにメイン及び予備光ファイバーを設置して、メイン光ファイバーが切断された時に予備光ファイバーを起動する。しかしながら、切断による障害が全ての光ケーブルに生じた場合、この方式では通信サービスの正常な運営を保障することができない。
２.  １つの経路に異なる光ケーブルを用いる方式により保護する。即ち、１つの導管又は経路において、メインと予備光ファイバーが異なる光ケーブル内に設置される。これにより、メイン光ファイバーを含む光ケーブルに切断による障害が生じた時、予備光ファイバーを起動することができる。しかしながら、この方式では、単なる一般的な光ケーブルの切断による障害は防止できるが、広い面積の障害（例えば大型機械を用いた施工により光ケーブル導管が広範囲に及んで切断されるなどの事故）を防止することはできない。
３.   異なる経路に異なる光ケーブルを用いる方式により保護する。即ち、メインと予備光ファイバーは、光ケーブルが異なるだけではなく、導管又は経路も異なる。この方式は、光ファイバー回線に最大限の保護を提供するが、その経済的な代価が非常に高い。
【０００４】
実際の保護の応用においては、導管、光ファイバー資源と施工コストに制限があるため、光回線端末と光分波器間の光ファイバー回線は、一般的に前記保護方式のみを用いて保護され、そして光分波器と光ネットワークユニット間の光ファイバー回線は、星状のアクセス網中で保護されることはめったにない。よって、光ファイバーに切断による障害が生じると、ネットワーク通信が機能できなくなる。
また、費用に敏感であるとともにネットワーク上でリアルタイムに情報交換する必要があるユーザーであっても、ネットワークのQOS（品質保証）に対して厳格には要求せず、例えばネットスピードが低下する等の短時間のネットワークの性能悪化を我慢することができる。しかしながら、ネットワークの長期間の中断を我慢することはできない。したがって、光ファイバーのアクセス網を適当且つ有効な方式により保護することは、ユーザーがネットワークで滞りなく通信するために必要な保障である。
【発明の開示】
【発明が解決しようとする課題】
【０００５】
本発明の主な目的は、前記光ファイバーアクセス網の１＋１保護方式に存在する欠点、並びに星状光ファイバーのアクセス網中の光分波器と光ネットワークユニット間の光ファイバー回線への保護が実際の使用において不足している原因及びその現状に鑑みて、光ファイバーのアクセス網及びその通信保護方法を提供することである。光ファイバーのアクセス網及び方法は、無線通信システムと光ファイバー通信システムとを組み合わせて、光ファイバー通信システムの通信サービスを有効的に保障するとともに、通信資源を有効的に利用するものである。
【課題を解決するための手段】
【０００６】
前記目的を実現するために、本発明は光ファイバーのアクセス網を用いる。光ファイバーのアクセス網は光ファイバー通信システムを含み、光ファイバー通信システムは、少なくとも光回線端末（１）、光分波器（２）、第１光ネットワークユニット（３）及びユーザー端末インテグレーテッド（integrated）・アクセス・デバイス（４）からなる。通信サービスを伝送するための作動光ファイバー（９１）及び作動光ファイバー（９１）の回線を保護するための保護光ファイバー（９２）が、光回線端末（１）と光分波器（２）の間に設置される。
光ファイバーのアクセス網は、更に無線基地局（５）を含み、無線基地局が第２光ネットワークユニット（６）を通じて光分波器（２）に接続され、無線基地局（５）が無線ユーザー端末装置（７）と無線で通信する。無線ユーザー端末装置（７）及び第１光ネットワークユニット（３）が、通信回線を切り替えるための通信サービス切り替え装置（８）にそれぞれ接続され、通信サービス切り替え装置（８）がユーザー端末インテグレーテッド・アクセス・デバイス（４）に接続され、無線ユーザー端末装置（７）が更に第１光ネットワークユニット（３）と通信する。
光回線端末（１）に、作動光ファイバー（９１）と保護光ファイバー（９２）の信号を検出するための第１検出モジュール（１１）と光回線端末（１）のインテグレーテッドサービス管理を行うためのネットワーク・マネージメント・システム（１２）が設置され、第１検出モジュール（１１）がネットワーク・マネージメント・システム（１２）に接続される。第１光ネットワークユニット（３）に、信号を検出するための第２検出モジュール（３１）及び通信サービス切り替え装置（８）に切り替え制御信号を送信するための制御モジュール（３２）が設置されている。
第２検出モジュール（３１）は、制御モジュール（３２）と接続されてもよい。また、通信サービス切り替え装置（８）は、第１光ネットワークユニット（３）の内部に設置されてもよい。即ち、第１光ネットワークユニット（３）の内部に設置される場合、第１光ネットワークユニット（３）と切り替え装置（８）は一体化して設置される。
【０００７】
光ファイバーのアクセス網は、光分波器と光ネットワークユニット間の通信サービスを無線方式を用いて保護できる。光ファイバー通信システムが作動する時、第２検出モジュール（３１）が、光ファイバー通信システムにおいて伝送する信号の振幅、パワー及び/又はエネルギーを検出する。光分波器（２）と第１光ネットワークユニット（３）間の光ファイバーに切断による障害が生じた時、第２検出モジュール（３１）が、信号の振幅、パワー及び/又はエネルギーが事前設定のしきい値より低いと検出すると、信号を失ったと認識する。そして、光ファイバー通信システム中の通信サービスを無線通信システムに切り替えるために、通信サービス切り替え装置（８）によりユーザー端末インテグレーテッド・アクセス・デバイス（４）を無線ユーザー端末装置（７）に切り替える。光ファイバー通信は無線通信システムよりも伝送速度と安定性等の面で優良である。したがって、第２検出モジュール（３１）が、光分波器（２）からの信号の振幅、パワー及び/又はエネルギーが事前設定のしきい値より大きいことを検出すると、光ファイバーの切断による障害が取り除かれたと認識する。そして、通信サービスを光ファイバー通信システムに切り替えるために、通信サービス切り替え装置（８）によりユーザー端末インテグレーテッド・アクセス・デバイス（４）を第１光ネットワークユニット（３）に切り替える。
【発明の効果】
【０００８】
本発明は、１+１保護方式を用いて光ファイバーのアクセス網中の光回線端末と光分波器間の光ファイバー回線を保護するとともに、無線通信システムを用いて星状光ファイバーのアクセス網中の光分波器と光ネットワークユニット間の光ファイバー回線を保護する。これは、星状光ネットワークのユーザー、特にグループユーザーの通信サービスが滞りなく行われることを保障することにより、ユーザーのネットワークが使用できない時間への不満を解消するだけでなく、導管、光ケーブル資源の制限を克服し、投資と維持コストを大幅に低減する。
更に、光ケーブルの無い地域においても、無線方式を用いて通信領域を素早く網羅することができる。光ケーブルの設置が終了した後、無線通信システムを光ファイバー通信システムの保護システムとすることができ、このことは、ステップ・バイ・ステップ（step by step）で設置を実施すること及び古いデバイスの再利用に有利である。
なお、本発明は、無線基地局を光分波器の隣に設置することにより、無線基地局のサービスエリア範囲への要求が大幅に解消される。それと同時に、工程における見通し通信の問題を最も容易に解決することができる。本発明は、帯域幅の動的割り当てを行うことができる無線通信システムを用いて、光ファイバーのアクセス網を保護する。また、アクセス・光ファイバーに切断による障害が生じた後は、影響を受けた光ネットワークユニットに、無線通信システムの帯域幅を集中して割り当てて、ユーザーの帯域幅への需要を保障することができる。また、光ファイバーに障害が生じない時は、複数のユーザーに無線アクセスサービスを提供することができ、これにより通信システムの帯域幅の利用率を高め、且つ提供するサービスを豊富にする。
【発明を実施するための最良の形態】
【０００９】
以下、本発明に係る実施例及び図面を用いて、本発明に係る技術内容を詳細に説明する。
本発明の主な目的は、無線通信システムを導入することにより星状光ファイバーのアクセス網中の光分波器（２）と第１光ネットワークユニット（３）間の光ファイバー回線を保護することである。保護される光ファイバーのアクセス網は、光ファイバー通信システム、無線通信システム、第２光ネットワークユニット（６）、通信サービス切り替え装置（８）を含む。光ファイバー通信システム中の光分波器（２）と第１光ネットワークユニット（３）間の光ファイバーに切断による障害が生じた時、通信サービス切り替え装置（８）により光ファイバー通信システムから無線通信システムに通信サービスを切り替える。光ファイバー通信は伝送速度と安定性等何れの面においても無線通信システムより優れるため、光ファイバーの切断による障害が取り除かれた後、通信サービス切り替え装置（８）により無線通信システムから光ファイバー通信システムに通信サービスを切り替える。
【００１０】
図１は、本発明に係る光ファイバーのアクセス網のシステム構造図である。光ファイバーのアクセス網において、光ファイバー通信システムは、少なくとも光回線端末（１）、光分波器（２）、第１光ネットワークユニット（３）とユーザー端末インテグレーテッド・アクセス・デバイス（４）を含む。
【００１１】
光回線端末（１）は、交換機、ルーター及び光分波器（２）とのインタフェースを備える。これにより、光回線端末（１）は、作動光ファイバー（９１）及び作動光ファイバー（９１）の回線を保護する保護光ファイバー（９２）を通じて、光分波器と通信するとともに、必要な手段を提供して各種の通信サービスを伝送する。光回線端末（１）には、作動光ファイバー（９１）と保護光ファイバー（９２）中の信号を検出するための第１検出モジュール（１１）及び光回線端末（１）に対してインテグレーテッドサービス管理を行うためのネットワーク・マネージメント・システム（１２）が設置される。第１検出モジュール（１１）はネットワーク・マネージメント・システム（１２）に接続される。
光分波器（２）は、第１光ネットワークユニット（３）と光回線端末（１）用の光ファイバーを伝送媒体とした物理的な接続を提供し、且つ光ファイバーで伝送される信号がカップリング区域でカップリングされた後パワーを再分配する。
第１光ネットワークユニット（３）は、光ファイバー通信により、通信回線を切り替えるための通信サービス切り替え装置（８）と接続される。第１光ネットワークユニット（３）は、少なくとも信号を検出するための第２検出モジュール（３１）、第２検出モジュール（３１）により信号が検出されない時に信号が失われたという警告情報を発生させるための警告モジュール（３３）、通信サービス切り替え装置（８）に切り替え制御信号を送信するための制御モジュール（３２）、無線ユーザー端末装置（７）の情報を送受信するためのサービス・インタフェース機能モジュール（３４）及び第１光ネットワークユニット（３）に対してパワーとインテグレーテッドサービス管理を提供するためのパワー提供とメンテナンス管理機能モジュール（３５）を含む。
【００１２】
第２検出モジュール（３１）は、警告モジュール及びパワー提供とメンテナンス管理モジュールに接続される。また、第２検出モジュール（３１）は、制御モジュール（３２）に接続されてもよい。具体的には、振幅、パワー及び/又はエネルギー等を検出する検出装置を用いる。
【００１３】
警告モジュール（３３）は、サービス・インタフェース機能モジュール（３４）に接続され、第２検出モジュール（３１）と一体に設置されてもよい。サービス・インタフェース機能モジュール（３４）は、パワー提供とメンテナンス管理機能モジュール（３５）及び通信サービス切り替え装置（８）に接続され、且つ光分波器（２）及び無線ユーザー端末装置（７）に通信接続される。制御モジュール（３２）は、サービス・インタフェース機能モジュール（３４）、及びパワー提供とメンテナンス管理機能モジュール（３５）に接続される。
【００１４】
無線通信システムは、無線基地局（５）と無線ユーザー端末装置（７）を含む。無線基地局（５）は、光分波器（２）の隣に設置され、第２光ネットワークユニット（６）を通じて光分波器（２）と通信し、無線ユーザー端末装置（７）と無線で通信して無線送受信及び無線資源管理等を行う。この無線通信システムは、P2P（peer to peer）システムでもよく、またP2MP（Point to MultiPoint）システムでもよく、例えばWiMaxシステムが挙げられる。無線ユーザー端末装置（７）には、第１光ネットワークユニット（３）とユーザー端末のインテグレーテッド・アクセス・デバイス（４）のインタフェースが設置される。無線ユーザー端末装置（７）は、通信回線を切り替えるための通信サービス切り替え装置（８）に接続され、更に第１光ネットワークユニット（３）に接続される。そして、無線ユーザー端末装置（７）は、第１光ネットワークユニット（３）からの警告情報と、切り替えられた通信サービスを受信することにより、無線基地局（５）とユーザー端末のインテグレーテッド・アクセス・デバイス（４）間の情報伝送を実現する。
【００１５】
通信サービス切り替え装置（８）は、通信回線を切り替えるために用いる。無線ユーザー端末装置（７）及び第１光ネットワークユニット（３）は、通信サービス切り替え装置（８）とそれぞれ接続される。通信サービス切り替え装置（８）は、ユーザー端末インテグレーテッド・アクセス・デバイス（４）に接続される。通信サービス切り替え装置（８）は、第１光ネットワークユニット（３）の内部の制御モジュール（３２）によりその切り替えを制御される。通信サービス切り替え装置（８）は、第１光ネットワークユニット（３）と独立して設置されてもよく、また第１光ネットワークユニット（３）の内部に設置されてもよい。即ち、第１光ネットワークユニット（３）の内部に設置される場合、第１光ネットワークユニット（３）と切り替え装置（８）は一体に設置されることになる。通信サービス切り替え装置（８）は、具体的には、電気スイッチ、光スイッチ、光電スイッチ、マイクロマシンスイッチ或いは導波路光スイッチ等を用いる。
【００１６】
光ファイバー通信システムが作動する時、第２検出モジュール（３１）は、作動回線において伝送されている信号を検出する。光配線網（光分波器）（２）と第１光ネットワークユニット（３）間の光ファイバーに切断による障害が生じた時、通信サービス切り替え装置（８）は、光配線網（２）と第１光ネットワークユニット（３）の間で伝送される通信サービスを無線通信システムに切り替える。即ち、通信サービス切り替え装置（８）が、光ファイバー通信システムから無線通信システムに通信サービスを切り替える。図２は、通信サービスを光ファイバー通信システムから無線通信システムに切り替える具体的な１種類のフローであり、下記の工程を実行する。
工程（２０１）：第２パワーメーター（第２検出モジュール）（３１）が、信号のパワーが事前設定のしきい値のパワーより小さいことを検出すると、ダウン信号を失ったと認識する
工程（２０２）：第２パワーメーター（３１）が、信号が失われたという情報を警告モジュール（３３）に送信する
工程（２０３）：警告モジュール（３３）が、信号が失われたという警告情報を無線ユーザー端末装置（７）に伝送する
工程（２０４）：無線ユーザー端末装置（７）が、無線基地局（５）に帯域幅の割り当てを要求する情報を送信する
工程（２０５）：無線基地局（５）が、無線ユーザー端末装置（７）に対応する帯域幅を割り当てるとともに、帯域幅の割り当てが終了したという確認情報を送信する
工程（２０６）：無線ユーザー端末装置（７）が、通信サービスを無線通信システムに切り替える要求情報を制御モジュール（３２）に送信する
工程（２０７）：制御モジュール（３２）が、スイッチに切り替え制御信号を送信する
工程（２０８）：スイッチが、通信サービスのアップ信号を無線ユーザー端末装置（７）に切り替えるために、切り替え制御信号に従って、第１光ネットワークユニット（３）に接続された通信回線を無線ユーザー端末装置（７）に切り替える
工程（２０９）：無線ユーザー端末装置（７）が、アップ信号を無線基地局（５）に送信する
工程（２１０）：無線基地局（５）が、アップ信号を光回線端末（１）に送信する
工程（２１１）：光回線端末（１）が、光ネットワークユニット（６）を通じてダウン信号を無線基地局（５）に送信する
工程（２１２）：無線基地局（５）が、ダウン信号を対応する無線ユーザー端末装置（７）に送信して、通信サービス回線の切り替えを完成する
第２パワーメーター（３１）が、ダウン信号のパワーが事前設定のしきい値のパワーより小さいことを検出した後、信号が失われたという情報を制御モジュール（３２）に直接に送信し、そして制御モジュール（３２）によりスイッチを制御して通信サービスを無線通信システムに切り替えてもよい。即ち工程（２０２）〜（２０６）を省略することができる。
【００１７】
ダウン方向はブロードキャスト（broadcast）・モデルである。したがって、光配線網（２）と第１光ネットワークユニット（３）間の光ファイバーの切断による障害が回復した後、第１光ネットワークユニット（３）中の第２パワーメーター（３１）は、光回線端末（１）からの信号を検出することができる。そして、通信サービス切り替え装置（８）は、無線通信システムで伝送される通信サービスを光ファイバー通信システムに切り替える。即ち、通信サービス切り替え装置（８）が、通信サービスを無線通信システムから光ファイバー通信システムに切り替えるということである。
【００１８】
図３は、通信サービスを無線通信システムから光ファイバー通信システムに切り替える具体的な１種類のフローを示し、以下の工程を実行する。
工程（３０１）：第２パワーメーター（３１）が、信号のパワーが事前設定のしきい値のパワーより大きいことを検出すると、ダウン信号を受信したと認識する
工程（３０２）：第２パワーメーター（３１）が、信号受信の情報を警告モジュール（３３）に送信する
工程（３０３）：警告モジュール（３３）が、信号が失われたという警告を解除する情報を無線ユーザー端末装置（７）に送信する
工程（３０４）：無線ユーザー端末装置（７）が、帯域幅を解除する要求情報を無線基地局（５）に送信する
工程（３０５）：無線基地局（５）が、対応する帯域幅を解除するとともに、無線ユーザー端末装置（７）に帯域幅解除の確認情報を送信する
工程（３０６）：無線ユーザー端末装置（７）が、通信サービスを光ファイバー通信システムに切り替える要求情報を制御モジュール（３２）に送信する
工程（３０７）：制御モジュール（３２）が、切り替え制御信号をスイッチに送信する
工程（３０８）：スイッチが、通信サービスのアップ信号を第１光ネットワークユニット（３）に切り替えるために、切り替え制御信号に従って、無線ユーザー端末装置（７）に接続された通信回線を第１光ネットワークユニット（３）に切り替える
工程（３０９）：第１光ネットワークユニット（３）が、通信サービスのアップ信号を光回線端末に送信して、通信サービス回線の切り替えを完成する
【００１９】
同様に、第２パワーメーター（３１）が信号のパワーの事前設定のしきい値のパワーより高いと検出した後、信号受信の情報を、制御モジュール（３２）に直接送信する。そして、制御モジュール（３２）がスイッチを制御し、通信サービスを光ファイバー通信システムに切り替えてもよい。即ち、工程（３０２）〜（３０６）を省略してもよい。
【００２０】
最後に説明すべきは、前述の実施例は本発明に係る技術を単に説明しただけにすぎず、本発明に係る技術を限定するものではないことである。前記具体的な実施形態を挙げて本発明を説明した。本発明の根底及び本発明の請求の範囲を逸脱せずに、本発明の技術形態に様々な変更及び修正、或いは部分的な技術特徴の取替えを行うことが可能であることは、当業者であれば明白である。したがって、これらは本発明の請求の範囲に網羅されている。
【図面の簡単な説明】
【００２１】
【図１】本発明に係る光ファイバーのアクセス網のシステム構造図である。
【図２】光ファイバー通信システムから無線通信システムに通信サービスを切り替えるフローを示す図面である。
【図３】無線通信システムから光ファイバー通信システムに通信サービスを切り替えるフローを示す図面である。
【図１】
2009508373.tif 000003
【図２】
2009508373.tif 000004
【図３】
2009508373.tif 000005
【国際調査報告】
2009508373.tif 000006
2009508373.tif 000007
2009508373.tif 000008
2009508373.tif 000009